(57)【特許請求の範囲】
【請求項１】
一本物のベルトの搬送路及びリターン路を多数のローラーで支持したベルトコンベヤにおいて、搬送路の水平カーブ部分のベルトを湾曲させるように水平カーブ部分のベルトを支持するローラーをカーブ内側の端部が急な角度に傾斜するように略Ｊ字状に複数配置してカーブ部ローラー群となし、湾曲させたベルトの両端がベルトの中央に向って倒れ込まないようにベルト両端の動きを制限する倒れ込み防止手段として、
ベルトのカーブ内側方向の端部が外側に倒れ込まないようにローラ面でベルトの動きを制限する倒れ込み防止ローラ(5) と，後記する径方向制限ローラー(6) の上端にカーブ外側となるベルトの端部が内側に倒れ込まないように動きを制限する倒れ込み防止鍔(6a)とそれから所定間隔下方の径方向制限ローラの外周に設けられ倒れ込み防止鍔(6a)と平行でかつ倒れ込み防止鍔(6a)より外径の大きい鍔形状のベルト保持鍔(6b)とを設け、湾曲させたベルトのカーブ半径方向の動きを制限する径方向制限手段として、
ベルトのカーブ内側の端部に設けられ搬送方向のベルトの移動を妨げず、かつベルトが所定位置よりカーブ内側に移動しないようにローラ面で止める径方向制限ローラー(4) と，ベルトカーブ外側の端部に設けられ搬送方向のベルトの移動を妨げず、かつベルトが所定位置よりカーブ外側に移動しないようにローラ面で止める径方向制限ローラー(6) とを設け、リターン路の水平カーブ部分のベルトを横向きから縦向きになるようねじり方向にターンさせる変向手段を設け、リターン路のベルトのカーブ内側の面を縦向きの状態に保持する縦ローラーを設けたことを特徴とするベルトコンベヤ装置。
【請求項２】
カーブ部ローラー群の各ローラーを共通のローラーフレームに取り付け、同ローラーフレームを所定間隔あけてコンベヤフレームに複数取り付け、前記コンベヤフレームをコンベヤ搬送方向に所定間隔で配置した架台に取り付ける構造にした請求項１記載のベルトコンベヤ装置。
【請求項３】
コンベヤフレームを架台に対して傾動可能にした請求項２記載のベルトコンベヤ装置。
【請求項４】
複数のローラーフレームの少なくとも一つが、ベルトのカーブ曲率を変更する水平なカーブ方向とベルトの張りを調整するためのカーブ半径方向の位置を変更可能な取り付けにした請求項２又は３記載のベルトコンベヤ装置。
【請求項５】
リターン路の縦向きにしたベルトの下端を支持する下端支持ローラーを設けた請求項１〜４いずれかに記載のベルトコンベヤ装置。
【請求項６】
リターン路の縦向きにしたベルトがカーブ内側に倒れないようにベルトの下端の動きを制限する倒れ防止手段を設けた請求項１〜５いずれかに記載のベルトコンベヤ装置。
【請求項７】
縦向きにしたベルトを支持する縦ローラーが縦列した複数のローラーであり、それぞれのローラーが独立して回転自在となるようにした請求項１〜６いずれかに記載のベルトコンベヤ装置。
【発明の詳細な説明】
【０００１】
【発明の属する技術分野】
本発明は、主に土木作業における土砂・岩石等の搬送物を搬送するために用いられ、トンネル内又は地上で搬送路を水平にカーブさせることで複数の直線コンベヤを継ぐように用いずに一本物のベルトで搬送路を形成できるようにしたベルトコンベヤに関し、特に非常にカーブ半径を小さくできるようにして設置場所の状況に対応できやすくするものである。
【０００２】
【従来の技術】
従来のベルトコンベヤにおいて、搬送路を曲げた方向にするには、直線のベルトコンベヤを連結するように多段的に折曲した搬送路にしていた。しかし、直線のベルトコンベヤそれぞれに駆動部が必要となり、施工コストが高いものとなっていた。また保守等も大変であった。
これに対し、一本物のベルトを用いて水平カーブさせるベルトコンベヤは、駆動部が少なくすみ、保守管理等も容易となる。
このベルトコンベヤは、搬送のためにベルトを中央が凹んだ形状にした状態で水平にカーブさせるもので、ベルトの中央が凹んだ形状になるように中央の支持ローラーに対して中央の支持ローラーの側方に傾斜させたサイド支持ローラーを設け、この中央の支持ローラーとサイド支持ローラーを一つのフレームに取り付ける。このフレームには、中央の支持ローラーとサイド支持ローラーの軸線に沿ったレールを設け、土台となる土台フレームにローラーを設けてレールと係合させる。よって土台フレームに対して各ローラーを取り付けたフレームが揺動可能になるようにする。
さらにカーブの内側の端となるサイドローラーの側方にベルトの内側へのベルトの動きを規制するためのローラーを取り付ける。この従来のカーブ部と支持ローラー上にベルトを載せると、カーブ外周側のベルトは伸ばされることになるのでその反発力として内側に行こうとする張力が働く。よってベルトは内側のサイドローラーのさらに内側に設けたローラーに当たるまで内側に寄る。しかし、さらに内側に向かう力がかかるので、ローラーを取り付けたフレーム全体が内側に持ち上げられるように揺動することになる。さらにこのコンベヤベルトに搬送物を載せると、その搬送物の重さとベルトの内側に向かう力とのつり合う所まで揺動が戻ってバランスした状態でベルトが送られることになる。従来では、このようにして水平に搬送ラインをカーブさせて送っていた。
しかし、このように従来の水平カーブ部分のベルト支持ローラーは、揺動機構を有するため複雑な機構になっている。このため非常に高価なものになっていた。また、コンベヤベルトと搬送物を支えるためには強度が要求されるため、全て金属製であったので非常に重くなっていて、施工及び撤去作業の際に作業が大変であった。
また、このように力をつり合わせる構造では、カーブ半径を小さくするとカーブ内側に向かう力が大きくなりすぎるため、搬送できる中央が凹んだベルト形状の維持が困難であり、カーブ半径を小さくできるものではなかった。よって場所状況への対応性が十分でなく、場所の状況によっては直線コンベヤを複数用いていた。
【０００３】
【発明が解決しようとする課題】
本発明が解決しようとする課題は、従来のこれらの問題点を解消し、水平カーブ部のカーブ半径を非常に小さくでき、設置する場所等の対応性が向上し、非常に施工コストを抑制でき、軽量で施工・撤去を行ないやすくでき、耐久性が向上するベルトコンベヤ装置を提供することにある。
【０００４】
【課題を解決するための手段】
かかる課題を解決した本発明の構成は、
１）  一本物のベルトの搬送路及びリターン路を多数のローラーで支持したベルトコンベヤにおいて、搬送路の水平カーブ部分のベルトを湾曲させるように水平カーブ部分のベルトを支持するローラーをカーブ内側の端部が急な角度に傾斜するように略Ｊ字状に複数配置してカーブ部ローラー群となし、湾曲させたベルトの両端がベルトの中央に向って倒れ込まないようにベルト両端の動きを制限する倒れ込み防止手段として、
ベルトのカーブ内側方向の端部が外側に倒れ込まないようにローラ面でベルトの動きを制限する倒れ込み防止ローラ(5) と，後記する径方向制限ローラー(6) の上端にカーブ外側となるベルトの端部が内側に倒れ込まないように動きを制限する倒れ込み防止鍔(6a)とそれから所定間隔下方の径方向制限ローラの外周に設けられ倒れ込み防止鍔(6a)と平行でかつ倒れ込み防止鍔(6a)より外径の大きい鍔形状のベルト保持鍔(6b)とを設け、湾曲させたベルトのカーブ半径方向の動きを制限する径方向制限手段として、
ベルトのカーブ内側の端部に設けられ搬送方向のベルトの移動を妨げず、かつベルトが所定位置よりカーブ内側に移動しないようにローラ面で止める径方向制限ローラー(4) と，ベルトカーブ外側の端部に設けられ搬送方向のベルトの移動を妨げず、かつベルトが所定位置よりカーブ外側に移動しないようにローラ面で止める径方向制限ローラー(6) とを設け、リターン路の水平カーブ部分のベルトを横向きから縦向きになるようねじり方向にターンさせる変向手段を設け、リターン路のベルトのカーブ内側の面を縦向きの状態に保持する縦ローラーを設けたことを特徴とするベルトコンベヤ装置
２）  カーブ部ローラー群の各ローラーを共通のローラーフレームに取り付け、同ローラーフレームを所定間隔あけてコンベヤフレームに複数取り付け、前記コンベヤフレームをコンベヤ搬送方向に所定間隔で配置した架台に取り付ける構造にした前記１）記載のベルトコンベヤ装置
３）  コンベヤフレームを架台に対して傾動可能にした前記２）記載のベルトコンベヤ装置
４）  複数のローラーフレームの少なくとも一つが、ベルトのカーブ曲率を変更する水平なカーブ方向とベルトの張りを調整するためのカーブ半径方向の位置を変更可能な取り付けにした前記２）又は３）記載のベルトコンベヤ装置
５）  リターン路の縦向きにしたベルトの下端を支持する下端支持ローラーを設けた前記１）〜４）いずれかに記載のベルトコンベヤ装置
６）  リターン路の縦向きにしたベルトがカーブ内側に倒れないようにベルトの下端の動きを制限する倒れ防止手段を設けた前記１）〜５）いずれかに記載のベルトコンベヤ装置
７）  縦向きにしたベルトを支持する縦ローラーが縦列した複数のローラーであり、それぞれのローラーが独立して回転自在となるようにした前記１）〜６）いずれかに記載のベルトコンベヤ装置
にある。
【０００５】
【作用】
本発明では、カーブ部ローラー群上にベルトの搬送路を載せることによって、湾曲形状に沿って配置した複数のローラーによってベルトが湾曲する。よって、水平カーブ部分においてもベルトの搬送路上で搬送する物をしっかり保持できるようにする。さらに、倒れ込み防止手段によって湾曲させたベルトの両端の倒れ込みを抑え、かつベルトのカーブ半径方向の動きを径方向制限手段によって制限することによって小さな半径曲率となる湾曲を可能にしカーブ半径を小さくできるようにする。ベルトのリターン路は、変向手段によって縦向きにすることによってカーブ半径を小さくできるようにし、カーブ部分でベルトを湾曲又は折曲させないようにしてベルトを傷めたり変形させにくくする。
カーブ部ローラー群の各ローラーを共通のローラーフレームに取り付け、ローラーフレームをコンベヤフレームに取り付け、コンベヤフレームを架台に取り付けたものは、ユニット化したコンベヤフレームを取り扱うようにして手間を少なく済むようにする。
コンベヤフレームを架台に対して傾動可能にしたものは、コンベヤフレームを傾けることによりカーブ部ローラー群を傾けるようにし、カーブ半径の内側に向かうベルトの引張力と釣り合いを取りやすくしてカーブ半径をさらに小さくできるようにする。
ローラーフレームの少なくとも一つがカーブ方向とカーブ半径方向の位置を変更可能にしたものは、カーブベルト支持部の向きを変更することでベルトのカーブ曲率を変更できるようにし、カーブ半径方向の位置を変更可能にすることでベルトの張りが調整できるようにする。
リターン路の縦向きにしたベルトの下端を支持する下端支持ローラーを設けたものは、縦向きにしたベルトが所定の位置まで下方に下がると下端支持ローラーに当たるようにし、ローラーの回転でベルトの動きに支障がないように支持する。
リターン路のベルトの倒れ防止手段を設けたものは、縦向きにしたベルトが内側に倒れないようベルト下端の動きを倒れ防止手段で制限する。
縦向きにしたベルトを支持するローラーが縦列した複数のローラーであり、それぞれのローラーが独立して回転自在となるようにしたものは、縦向きにしたベルトの位置による張りの偏りをローラーが独立して回転自在となることで吸収できるようにする。
倒れ込み防止手段がローラーであるものは、ベルトの端部が倒れ込みそうになった場合に、ベルトにローラー面が当接しベルトの搬送方向への移動を妨げず、ベルトの倒れ込みを防止する。
径方向制限手段がローラーであるものは、所定の範囲を超えそうなベルトのカーブ半径方向の動きがあった場合にベルトがローラー面に当接し、ベルトの搬送方向への移動を妨げず、ベルトのカーブ半径方向の動きを制限する。
組立式ベルトコンベヤ装置としたものは、同じ構造の架台、コンベヤフレーム、ローラーフレームを組み立てるようにしてベルトコンベヤ装置を構成するようにする。
【０００６】
【発明の実施の形態】
カーブ部ローラー群のローラーには環状の凸部を複数設けるようにしてベルトとの摩擦を大きくするようにしてもよい。
カーブ部ローラー群の湾曲形状に沿って配置するローラーは、同一線状に配置するようにしても異るように配置してもかまわない。
本発明のベルトコンベヤ装置の直線部分には既存のものを使用するようにしてもよい。
本発明において、水平カーブ部分のリターン路のベルトの縦向きは、厳密に垂直でなくともよく、縦向きすることでベルトの巾方向に曲げることなくリターン路をカーブさせればよいため、多少傾くようにしても従来のように湾曲させないようにしたものであればよい。
【０００７】
【実施例】
本発明の実施例について図面を参照して具体的に説明する。
図１〜７に示すのは、カーブ部ローラー群の各ローラーを共通のローラーフレームに取り付け、ローラーフレームをコンベヤフレームに取り付けるようにし、コンベヤフレームを傾動可能に架台に取り付けるようにし、ローラーフレームがカーブ方向とカーブ半径方向に位置を変更可能にし、縦向きにしたベルトの下端を支持する下端支持ローラーを設け、縦向きにしたベルトの倒れを防止する倒れ防止手段を設け、縦ローラーが回転軸の独立した複数のローラーからなるベルトコンベヤ装置の例である。
図１〜４は実施例のベルトコンベヤ装置の説明図である。図５は実施例のベルトコンベヤ装置のリターン部の説明図である。図６は実施例のベルトコンベヤ装置のカーブ部ローラー群及びローラーフレームの説明図である。図７は実施例のベルトコンベヤ装置の縦ローラーの説明図である。図８，９は実施例のベルトコンベヤ装置の説明図である。図１０は実施例のベルトコンベヤ装置のカーブ外側の径方向制限ローラーの説明図である。
図中、１はベルトコンベヤ装置、１ａは直線部、１ｂは水平カーブ部、２はカーブ部ローラー群、２ａは外側端部ローラー、２ｂは外側ローラー、２ｃは内側ローラー、２ｄは内側端部ローラー、３はローラーフレーム、３ａは取付長穴、４は径方向制限手段として用いたカーブ内側の径方向制限ローラー、５は倒れ込み防止手段として用いたカーブ内側の倒れ込み防止ローラー、６は径方向制限手段として用いたカーブ外側の径方向制限ローラー、６ａは倒れ込み防止手段として用いた倒れ込み防止鍔、６ｂはベルト保持鍔、８はコンベヤフレーム、８ａは取付長穴、８ｂは連結部、９は架台、９ａはフレーム取付部、１１は縦ローラー、１１ａは回転軸、１１ｂは回転軸、１２は縦ローラーフレーム、１３は下端支持ローラー、１４は倒れ防止ローラー、１６はベルト、１８は変向手段として用いたリターン部、１８ａはリターンローラー、１８ｂ，１８ｃ，１８ｄはローラー、Ｔはトンネルである。
【０００８】
実施例のベルトコンベヤ装置１では、図１，６に示すように、ローラフレーム３に対して水平となり、外周に環状の凸部を複数設けた外側ローラー２ｂを回転自在に取り付ける。外側ローラー２ｂのカーブ内側には、外側ローラー２ｂに対して所定の角度傾斜させ、かつ外周に環状の凸部を設けた内側ローラー２ｃをローラーフレーム３に回転自在に取り付ける。さらに、内側ローラー２ｃのカーブ内側には、内側ローラー２ｃよりもさらに急な角度に傾斜した内側端部ローラー２ｄを設ける。外側ローラー２ｂのカーブ外側には、外側ローラー２ｂに対して所定の角度傾斜させた外側端部ローラー２ａをローラーフレーム３に回転自在に取り付ける。ローラーフレーム３に取り付けた外側端部ローラー２ａ，外側ローラー２ｂ，内側ローラー２ｃ，内側端部ローラー２ｄで略Ｊ字状のローラー面となるカーブ部ローラー群２を形成する。
【０００９】
ローラーフレーム３のカーブ内側の端部には、搬送方向のベルトの移動を妨げず、かつベルトが所定位置よりカーブ内側に移動しないようにローラー面で止める径方向制限ローラー４と、外側端部ローラー２ａ上に位置するベルトのカーブ内側方向の端部が外側に倒れ込まないようローラー面でベルトの動きを制限する倒れ込み防止ローラー５とを設ける。
このように各ローラーを取り付けたローラーフレーム３を図１〜３に示すように長方形の枠体であるコンベヤフレーム８に所定の間隔で４つ並行になるよう取り付ける。ローラーフレーム３のコンベヤフレーム８への取付部は、カーブ部ローラー群２で支持するベルトのカーブ曲率を変更できるようカーブ方向に長い取付長穴３ａを複数箇所に設け、一方コンベヤフレーム８のローラーフレーム３への取付部は、カーブ半径方向の取付位置を変更できるようカーブ半径方向に長い取付長穴８ａを取付長穴３ａに対応する箇所に設けている。
このような取付構造にすることでコンベヤフレーム８に取り付けた固定されたローラーフレームを基準にし、残りをカーブ方向に変更するようにして、必要に応じたカーブ半径の水平カーブ部１ｂを形成できまた、変更できる。また、必要に応じて変更したカーブ半径に適応するようベルトの張りも調整できる。
ローラーフレーム３を取り付けたコンベヤフレーム８のカーブ外側となる端部には、図１０に示すように搬送方向のベルトの移動を妨げず、かつベルトが所定位置よりカーブ外側に移動しないようにローラー面で止める径方向制限ローラー６を設け、径方向制限ローラー６の上端には、ローラー径より大きい鍔部分を設けて、カーブ外側となるベルトの端部が内側に倒れ込まないように動きを制限する倒れ込み防止鍔６ａとする。さらに、倒れ込み防止鍔６ａより所定の間隔となる下方の径方向制限ローラー６の外周には、倒れ込み防止鍔６ａと並行でかつ倒れ込み防止鍔６ａより外径の大きい鍔形状のベルト保持鍔６ｂを設ける。
【００１０】
コンベヤフレーム８は、両端に設けた連結部８ｂを別のコンベヤフレーム８の連結部８ｂに取り付けるようにして複数連結する。また、コンベヤフレーム８は、図４に示すように、所定高さの架台９のカーブ内側のフレーム取付部９ａに傾動可能に取り付ける。
次に、図１，７に示すように、コンベヤフレーム８の下方の架台９のカーブ外側部分に縦ローラーフレーム１２を設け、縦ローラーフレーム１２に縦向きに回転自在な縦ローラー１１を上下に設ける。上下の縦ローラー１１はそれぞれ回転軸１１ａ，１１ｂを設けて、上下の縦ローラー１１が独立して回転自在となるようにする。上方に位置する縦ローラー１１の上端部分には、ローラー外径より大きい鍔部を設けてベルトの上方への動きを制限するようにする。次に、リターン方向のベルトの移動を妨げず、かつベルトが所定位置より下方に移動しないようローラー面で支持する下端支持ローラー１３を設け、かつ、ベルトの下端がカーブ外周側に移動してベルトが倒れるのを防ぐようベルト下端の動きを制限する倒れ防止ローラー１４を設ける。
【００１１】
このようにコンベヤフレーム８とコンベヤフレーム８を角度を持たせて複数連結して水平カーブ部１ｂを構成する。この水平カーブ部１ｂにベルトコンベヤ装置１の直線部１ａを接続する。実施例のコンベヤ装置１では、水平カーブ部１ｂの一方の端部近くにベルトを搬送側からリターン側にターンさせるリターン部１８を設ける。リターン部１８は図５に示すようにベルトを搬送側からリターン側に約１８０°ターンさせるリターンローラー１８ａと、リターンローラー１８ａから送られるベルトの向きを変わらないように挾むようにベルトを押さえるローラー１８ｂ，１８ｃとローラー１８ｂ，１８ｃから送られるベルトをねじり方向にターンさせて縦向きにし、縦向きとなったベルトのカーブ内側の面を支持するローラー１８ｄとからなる。
また、ベルトを駆動するための図示しない駆動部を設け、駆動部、直線部１ａ、水平カーブ部１ｂ、リターン部１８にベルト１６を張り渡すようにして、図９に示すようにトンネルＴ内から土砂を運び出すのに用いる。
このように、ローラーフレーム３を取り付けたコンベヤフレーム８を多数連結して架台９に取り付ける構造にすることで全体を軽量化した水平カーブ部１ｂにすることができ、コンベヤフレーム８として取り扱うことによりさらに施工・撤去が行ないやすくなる。
【００１２】
本実施例のベルトコンベヤ装置１では、図８に示すように水平カーブ部１ｂの搬送面を急な曲率で湾曲させることによって、土砂などの搬送に必要な搬送面を確保しつつ、小さい曲率のカーブ半径にすることができる。カーブ部ローラー群２に沿って急な曲率で湾曲させたベルトの両端はベルトの中央に向って倒れやすくなるが、倒れ込み防止ローラー５と倒れ込み防止鍔６ａによって強制的に略Ｊ字状の湾曲を保ち、かつベルトの引張力と搬送物の重みのバランスによりカーブ内側又はカーブ外側にベルトを移動させようと力が加わるが、径方向制限ローラー４，６によって強制的にベルトをローラー上に保つようにする。さらに倒れ込み防止ローラー５は、カーブ内側のベルトの下面を支持する内側端部ローラー２ｄと所定の間隔あけて位置することとなり、ベルト端部は、下面が内側端部ローラー２ｄに接した状態で内側端部ローラー２ｄと倒れ込み防止ローラー５の間に位置するので、ベルトにしわができている場合には、両ローラーによって伸ばされるため、ベルトのしわができにくく、長い間良好な状態で使用できる。
さらに、径方向制限ローラー６に設けたベルト保持鍔６ｂによって、カーブ部ローラー群２の間でベルト１６の外周側の端部の下面を保持することにより、図１０に示すようにベルト１６の中央が浮き上って２つ折りのような形状になるのを防ぐようにして、さらに確実にベルトの湾曲形状を保持している。
【００１３】
また、本実施例のベルトコンベヤ装置１では、リターン部１８によって、搬送側からリターン側にターンさせたベルトをねじり方向にターンさせて縦向きにして水平カーブ部に送るようにし、カーブ内側のベルト面を縦ローラー１１で支持して縦向きでカーブさせるようにしている。よって、ベルトに巾方向の変形をさせずに小さい曲率のカーブ半径にすることが可能になる。本実施例のベルトコンベヤ装置１では、搬送側のベルトを急な曲率で湾曲させることとリターン側のベルトを縦向きにすることでカーブ半径を約３０ｍにすることができ非常に小さなカーブ半径にすることができる。これにより、ベルトコンベヤ装置１のコンベヤ路の設置自由度は大きくなり、非常に使い勝手よく、省スペースな施工にできる。よって効率のよい施工にもなりまた、施工コストの低減にもなる。
また、本実施例のベルトコンベヤ装置１では、リターン側のベルトを縦向きにすることによって、ベルト巾側の曲げを行わない部分がコンベヤ全体で増加することによりベルトへの変形による負担を少なくして耐久性を向上させることができ、ベルトコンベヤ装置１の信頼性が向上する。
【００１４】
さらに、縦ローラー１１の上下２つのローラーは回転軸がそれぞれ独立して回転するようにして、ベルトの上下でローラー当たりの差が出ないようにしてより均一にローラーに当ててベルトの一部に強く力が加わらないようにする。
また、水平カーブ部分において、搬送物の軽さ、ベルト材質、カーブ半径等によって、ベルトの引張力が強く働く場合には、架台９のフレーム取付部９ａでコンベヤフレーム８をカーブ外側が低くなるよう傾斜させてベルトの引張力との釣り合いが取りやすくしているので、さらに確実にカーブ半径を小さくすることができる。
【００１５】
【発明の効果】
本発明によれば、水平カーブ部のカーブ半径を非常に小さくでき、設置する場所等の対応性が向上し、非常に施工コストを抑制でき、軽量にして施工・撤去を行ないやすくでき、耐久性が向上するベルトコンベヤ装置にできる。
カーブ部ローラー群の各ローラーを共通のローラーフレームに取り付け、ローラーフレームをコンベヤフレームに取り付け、コンベヤフレームを架台に取り付けたものは、施工・撤去がさらに行いやすいようにできる。
コンベヤフレームを架台に対して傾動可能にしたものは、さらに確実にカーブ半径を小さくできる。
ローラーフレームの少なくとも一つがカーブ方向とカーブ半径方向の位置を変更可能にしたものは、カーブ半径の変更、ベルトの張りの調整が容易にでき、さらに使い勝手のよいベルトコンベヤ装置にできる。
リターン路の縦向きにしたベルトの下端を支持する下端支持ローラーを設けたものとリターン路のベルトの倒れ防止手段を設けたものは、ベルトを縦向きに確実に保持し、かつベルトのリターン方向の移動をスムーズに行うようにできる。
縦向きにしたベルトを支持するローラーが縦列した複数のローラーであり、それぞれのローラーが独立して回転自在となるようにしたものは、より確実に縦向きにベルトを送ることができる。
倒れ込み防止手段及び径方向制限手段がローラーであるものは、カーブ半径を小さくすることとベルトによるスムーズな搬送をコストを抑制した簡単な構造で成立させる。
組立式ベルトコンベヤ装置としたものは、施工・撤去が容易にできる。
【図面の簡単な説明】
【図１】実施例のベルトコンベヤ装置の説明図である。
【図２】実施例のベルトコンベヤ装置の説明図である。
【図３】実施例のベルトコンベヤ装置の説明図である。
【図４】実施例のベルトコンベヤ装置の説明図である。
【図５】実施例のベルトコンベヤ装置のリターン部の説明図である。
【図６】実施例のベルトコンベヤ装置のカーブ部ローラー群及びローラーフレームの説明図である。
【図７】実施例のベルトコンベヤ装置の縦ローラーの説明図である。
【図８】実施例のベルトコンベヤ装置の説明図である。
【図９】実施例のベルトコンベヤ装置の説明図である。
【図１０】実施例のベルトコンベア装置のカーブ外側の径方向制限ローラーの説明図である。
【符号の説明】
１  ベルトコンベヤ装置
１ａ  直線部
１ｂ  水平カーブ部
２  カーブ部ローラー群
２ａ  外側端部ローラー
２ｂ  外側ローラー
２ｃ  内側ローラー
２ｄ  内側端部ローラー
３  ローラーフレーム
３ａ  取付長穴
４  （カーブ内側の）径方向制限ローラー
５  （カーブ内側の）倒れ込み防止ローラー
６  （カーブ外側の）径方向制限ローラー
６ａ  倒れ込み防止鍔
６ｂ  ベルト保持鍔
８  コンベヤフレーム
８ａ  取付長穴
８ｂ  連結部
９  架台
９ａ  フレーム取付部
１１  縦ローラー
１１ａ  回転軸
１１ｂ  回転軸
１２  縦ローラーフレーム
１３  下端支持ローラー
１４  倒れ防止ローラー
１６  ベルト
１８  リターン部
１８ａ  リターンローラー
１８ｂ  ローラー
１８ｃ  ローラー
１８ｄ  ローラー
Ｔ  トンネル
【図１】
0003557496.tif 000002
【図２】
0003557496.tif 000003
【図３】
0003557496.tif 000004
【図４】
0003557496.tif 000005
【図５】
0003557496.tif 000006
【図６】
0003557496.tif 000007
【図７】
0003557496.tif 000008
【図８】
0003557496.tif 000009
【図９】
0003557496.tif 000010
【図１０】
0003557496.tif 000011